(57)【要約】【課題】二煎目以降においても色や香り等が良好な状態でお茶を入れることができるばかりでなく、製造する際には新たに急須本体を形成するための石膏型を作成する必要のない新規な急須を提供する。【解決手段】急須１は、底板部２１から起立してなるとともに通孔２２が形成された側壁部２３を有し、上部には開口２４が形成され側壁部２３には上記通孔２２に連通する注ぎ口２５が形成された急須本体２と、上記通孔２２を内側から閉塞する茶こし網３と、を備え、上記急須本体２を構成する底板部２１の上面には、上記通孔２２ないし注ぎ口２５側に向かって徐々に高さが低くされた上面を有する嵩上げ部４が形成され、上記茶こし網３は、上記嵩上げ部４又は底板部２１に係止されてなり、上記嵩上げ部４は、上記急須本体２とは別個に成形された後に該急須本体２の底板部２１に固定され一体化されてなる。【選択図】図１
2013056090.tif 000002
【特許請求の範囲】
【請求項１】
底板部から起立してなるとともに通孔が形成された側壁部を有し、上部には開口が形成され側壁部には上記通孔に連通する注ぎ口が形成された急須本体と、
上記通孔を内側から閉塞する茶こし網と、を備え、
上記急須本体を構成する底板部の上面には、上記通孔ないし注ぎ口側に向かって徐々に高さが低くされた上面を有する嵩上げ部が形成され、上記茶こし網は、上記嵩上げ部又は底板部に係止されてなり、
上記嵩上げ部は、上記急須本体とは別個に成形された後に該急須本体の底板部に固定され一体化されてなることを特徴とする急須。
【請求項２】
前記底板部上には、前記嵩上げ部が固定された部位と、該嵩上げ部が固定されていない部位である湯溜まり部とを有し、この湯溜まり部は、前記通孔ないし注ぎ口と嵩上げ部との間に形成されてなるとともに、該嵩上げ部の上面には、前記茶こし網を係止する係止部が形成されてなることを特徴とする請求項１記載の急須。
【発明の詳細な説明】
【技術分野】
【０００１】
本発明は、茶こし網を備えた急須に関し、特に、急須本体内の底板部上面に注ぎ口側に向かって徐々に高さが低くされた嵩上げ部が形成されている急須に関するものである。
【背景技術】
【０００２】
従来より、急須には、茶こしが装着されているものが数多く提案されている。例えば、急須内部の注ぎ口の根元に半球状で複数の穴を有する陶器製の茶こしを備えた急須が古くから知られている。この急須は、茶葉と湯の接触面積が大きく茶葉が良く開くため、味は大変いいのであるが、茶こしに茶葉が詰まって、茶を注ぎにくいという欠点があった。また、本体上部の開口部にかご型の茶こし網を取り付けた急須もよく知られている。この急須は、茶こし網を簡単に取り外すことができ、掃除がしやすいのであるが、茶葉と湯の接触面積が小さくなり、味が落ちるという欠点があった。
【０００３】
このため、現在では、円盤状に切り抜いた茶こし網を急須の内部に傾斜上に装着し、急須内部を茶葉が存在する部分と茶葉が存在しない注ぎ口側の部分に区分けした急須（例えば、特許文献１）や平帯状で弾性に富む茶こし網を長手方向に巻回湾曲させて急須内部の壁面に圧接させた急須（例えば、特許文献２）などが大変普及している。これらの急須では、茶葉と湯の接触面積が大きく、茶葉が詰まることもない。しかし、これらの急須では、一度お茶を入れた後に急須本体内に残ったお湯によって茶葉がふやけ、二煎目以降のお茶の味が著しく劣化するという問題があった。
【０００４】
二煎目のお茶は、一煎目よりやや青みを帯びた色で、渋味はほとんどなく、甘味やうま味もひかえめになり、ぐっとまろやかになることが知られており、二煎目のお茶を美味しく飲みたいという消費者も多い。そこで、急須内部を茶こしによって茶葉が存在する部分と茶葉が存在しない注ぎ口側の部分に区分けし、茶こしに対して注ぎ口側に湯溜まりを備えた急須が提案されている（特許文献３）。この急須によれば、茶葉と湯の接触面積が大きく美味しいお茶を入れることができ、茶葉と残湯を分離することができるので、二煎目以降もおいしいお茶を入れることができる。
【先行技術文献】
【特許文献】
【０００５】
【特許文献１】実開昭５８−１５７４１８号公報
【特許文献２】実開昭５９―１５５０３３号公報
【特許文献３】特開２００７−２７５１７１号公報
【発明の概要】
【発明が解決しようとする課題】
【０００６】
しかしながら、一般に急須本体は石膏型で製造されるところ、上記特許文献３に開示された急須では、現行商品と外観が同デザインの急須を製造したい場合であっても、急須本体の内側を形成するための石膏型を新規に作成しなければならず、製造コストがかさむという問題があった。
【０００７】
そこで本発明は、上述した従来の急須が有する課題を解決することを目的に提案されたものであって、二煎目以降においても色や香り等が良好な状態でお茶を入れることができるばかりでなく、製造する際には新たに急須本体を成形するための石膏型を作成する必要のない新規な急須を提供することを目的とするものである。
【課題を解決するための手段】
【０００８】
本発明は、上記目的を達成するために提案されたものであって、第１の発明（請求項１記載の発明）は、底板部から起立してなるとともに通孔が形成された側壁部を有し、上部には開口が形成され側壁部には上記通孔に連通する注ぎ口が形成された急須本体と、上記通孔を内側から閉塞する茶こし網と、を備え、上記急須本体を構成する底板部の上面には、上記通孔ないし注ぎ口側に向かって徐々に高さが低くされた上面を有する嵩上げ部が形成され、上記茶こし網は、上記嵩上げ部又は底板部に係止されてなり、上記嵩上げ部は、上記急須本体とは別個に成形された後に該急須本体の底板部に固定され一体化されてなることを特徴とするものである。
【０００９】
この第１の発明に係る急須では、上記嵩上げ部の上面が上記通孔ないし注ぎ口側に向かって徐々に高さが低くなっているため、お茶を入れた後の残湯は上記茶こし網より上記通孔側に溜まり、茶葉は上記茶こし網より上記開口側に溜まるため、茶葉がふやけることがない。また、上記嵩上げ部を上記急須本体とは別個に成形し、その後の製造過程において、該嵩上げ部を該急須本体の底板部に固定し一体化しているため、該急須本体を形成するための石膏型を新たに作成する必要がない。すなわち、この発明によれば、これまでの急須本体を成形してきた石膏型をそのまま使用することにより、上記目的を達成する急須を製造することができる。
【００１０】
また、第２の発明（請求項２記載の発明）は、上記第１の発明において、前記底板部上には、前記嵩上げ部が固定された部位と、該嵩上げ部が固定されていない部位である湯溜まり部とを有し、この湯溜まり部は、前記通孔ないし注ぎ口と嵩上げ部との間に形成されてなるとともに、該嵩上げ部の上面には、前記茶こし網を係止する係止部が形成されてなることを特徴とするものである。
【００１１】
この第２の発明に係る急須では、底板部上には、前記嵩上げ部が固定された部位と、該嵩上げ部が固定されていない部位である湯溜まり部とを有し、この湯溜まり部は、前記通孔ないし注ぎ口と嵩上げ部との間に形成されてなるとともに、嵩上げ部の上面には、前記茶こし網の端部を係止する係止部が形成されてなることから、お茶を入れた後の残湯を、上記茶こし網よりお茶とを分離し、上記湯溜まり部により多く溜めることができる。
【発明の効果】
【００１２】
第１の発明（請求項１記載の発明）では、お茶を入れた後の残湯によって茶葉がふやけることがないため、二煎目以降においても色や香り等が良好な状態でお茶を入れることができる。また、上記急須本体を形成するための石膏型を新たに作成する必要がないため、既存の豊富な石膏型をそのまま使用することができ、既存の商品と外観が同じデザインの急須を低コストで製造することができる。
【００１３】
また、第２の発明（請求項２記載の発明）に係る急須では、お茶を入れた後の残湯を、上記茶こし網よりお茶とを分離し、上記湯溜まり部により多く溜めることができる。
【図面の簡単な説明】
【００１４】
【図１】本発明の実施の形態に係る急須を示す正断面図である。
【図２】急須本体とこれに固定される嵩上げ部とを示す分解斜視図である。
【図３】図１に示す急須の使用状態を示す正断面図である。
【発明を実施するための形態】
【００１５】
以下、本発明を実施するための形態に係る急須について、図面を参照しながら詳細に説明する。
【００１６】
この実施の形態に係る急須１は、図１に示すように、（図示しな石膏型により）鋳込成形され焼成された陶器製の急須本体２と、この急須本体２内に装着されてなる金属製の茶こし網３と、蓋体５とからなり、上記急須本体２の底板部２１の上面には、本発明を構成する嵩上げ部４が形成されてなるものである。
【００１７】
上記急須本体２は、円形の底板部２１と、この底板部２１の外周から起立してなる側壁部２３と、この側壁部２３の外面に形成された注ぎ口２５と、同じく上記側壁部２３の外面に形成された取っ手２６とから構成されている。この取っ手２６は、上方から見たときに上記注ぎ口２５の形成位置から略９０度ずれた位置に形成されている。そして上記急須本体２の上部には、開口２４が形成され、この開口２４の周囲には、上記蓋体５が載置される段部２４ａが形成されている。また、上記側壁部２３には上記注ぎ口２５と連通してなる通孔２２が形成されている。
【００１８】
上記嵩上げ部４は、上記底板部２１の上面に形成され、該嵩上げ部４には、上記通孔２２ないし注ぎ口２５側に向かって徐々に高さが低くされた上面（傾斜面）を有している。この嵩上げ部４は、図２に示すように、上方から見ると、上記底板部２１と半径がほぼ同一の優弧を含んだ弓形の弦の部分が優弧側に湾曲した、すなわち、月食時に少し欠けた月のような略弓形形状をしてなるものである。そして、この嵩上げ部４の上面には、上記茶こし網３を係止するための係止部４１が形成されている。また、この嵩上げ部４は、上記急須本体２とは別個に成形された後に底板部２１の上面に固定され一体化されてなるものである。さらに具体的に説明すると、上記嵩上げ部４と上記急須本体２とを別々に成形した後、粘土が乾く前に、接着面を水でぬらし、圧着することで固定し、その後焼成することで完全に一体化させてなるものである。したがって、上記底板部２１上には、上記嵩上げ部４が形成された部位と、該嵩上げ部４が形成されず（後述するように）お湯が溜まる湯溜まり部（符号は省略する。）とが形成され、この湯溜まり部は、該嵩上げ部４と通孔２２との間に形成されている。
【００１９】
また、上記茶こし網３は、金属網である平板状の編体が略楕円型に切断されてなるものであって、上記急須本体２に形成された開口２４から挿入され、周縁が上記側壁部２３の内面（段部２４ａの下面）に圧接・係止されてなるとともに、このように係止された部位の反対側は、上記係止部４１に係止されている。
【００２０】
上述した構成に係る急須１によれば、図３に示すように、お茶を入れた後の残湯Ｗは、上記茶こし網３より上記通孔２２側に形成された湯溜まり部に溜まり、茶葉Ｔは上記茶こし網３の上部に溜まるため、茶葉Ｔが残湯Ｗと接触することによりふやけてしまうことがない。
【００２１】
なお、上記実施の形態に係る急須１では、嵩上げ部４の形状を上方から見たときに略弓形形状としたが、こうした弓形形状ではなく、例えば円形や楕円形としてもよい。また、上記茶こし網３は、上記嵩上げ部４に形成された係止部４１に係止されているが、上記急須本体２の底板部２１に係止部を形成し、それによって係止してもよい。
【符号の説明】
【００２２】
１  急須
２  急須本体
２１  底板部
２２  通孔
２３  側壁部
２４  開口    
２４ａ  段部
２５  注ぎ口
２６  取っ手
３  茶こし網
４  嵩上げ部
４１  係止部
５  蓋体
Ｗ  残湯
Ｔ  茶葉
【図１】
2013056090.tif 000003
【図２】
2013056090.tif 000004
【図３】
2013056090.tif 000005